(57)【要約】【課題】拠点間の通信コストを低減できると共に通話時の音声の遅延を低減できる内線ＩＰ電話システム及びＩＰ電話機を提供する。【解決手段】ＩＰネットワーク網を介して音声を含むＩＰパケットを送受信する複数の主装置を備える。ＩＰ電話機は、主装置毎のＩＰアドレスを保存する登録先情報管理テーブル、及び主装置による制御が有効であるか否かを示す制御モードを、ユーザーの操作により変更が可能に保存する制御モード管理テーブルを備え、制御モード管理テーブルにて制御モードが有効に設定された主装置の制御による内線電話機として動作する。【選択図】図１
2011077610.tif 000002
【特許請求の範囲】
【請求項１】
ＩＰネットワーク網を介して音声を含むＩＰパケットを送受信する複数の主装置と、
前記主装置毎のＩＰアドレスを保存する登録先情報管理テーブル、及び前記主装置による制御が有効であるか否かを示す制御モードを、ユーザーの操作により変更が可能に保存する制御モード管理テーブルを備え、前記制御モード管理テーブルに保存された、前記制御モードが有効に設定された主装置の制御による内線電話機として動作するＩＰ電話機と、
を有する内線ＩＰ電話システム。
【請求項２】
前記ＩＰ電話機は、
前記主装置毎に生成された、前記内線電話機として制御する前記ＩＰ電話機に表示させるＬＣＤ情報を保存するＬＣＤ表示管理テーブルを備え、
前記ＬＣＤ表示管理テーブルに保存された、前記制御モードが有効に設定された主装置の前記ＬＣＤ情報を表示する請求項１記載の内線ＩＰ電話システム。
【請求項３】
前記ＩＰ電話機は、
該ＩＰ電話機が通話中であるか待機中であるかを示す状態情報を前記主装置毎に保存する通話管理テーブルを備え、
前記待機中に前記主装置から着信要求を受信すると、前記通話管理テーブルの該主装置の状態情報を通話中に変更し、前記制御モード管理テーブルの該主装置の制御モードを有効に設定し、該主装置から受信した着信要求に対応して着信呼を制御する請求項１または２記載の内線ＩＰ電話システム。
【請求項４】
ＩＰネットワーク網を介して複数の主装置と音声を含むＩＰパケットを送受信する、前記主装置の制御による内線電話機として動作可能なＩＰ電話機であって、
前記主装置毎のＩＰアドレスを保存する登録先情報管理テーブル、及び前記主装置による制御が有効であるか否かを示す制御モードを、ユーザーの操作により変更が可能に保存する制御モード管理テーブルを備えたデータ記憶部と、
前記制御モード管理テーブルに保存された、前記制御モードが有効に設定された主装置の制御による内線電話機として呼制御を行う呼制御部と、
を有するＩＰ電話機。
【請求項５】
前記データ記憶部は、
前記主装置毎に生成された、前記内線電話機として制御する前記ＩＰ電話機に表示させるＬＣＤ情報を保存するＬＣＤ表示管理テーブルを備え、
前記呼制御部は、
前記ＬＣＤ表示管理テーブルに保存された、前記制御モードが有効に設定された主装置の前記ＬＣＤ情報を表示する請求項４記載のＩＰ電話機。
【請求項６】
前記データ記憶部は、
該ＩＰ電話機が通話中であるか待機中であるかを示す状態情報を前記主装置毎に保存する通話管理テーブルを備え、
前記呼制御部は、
前記待機中に前記主装置から着信要求を受信すると、前記通話管理テーブルの該主装置の状態情報を通話中に変更し、前記制御モード管理テーブルの該主装置の制御モードを有効に設定し、該主装置から受信した着信要求に対応して着信呼を制御する請求項４または５記載のＩＰ電話機。
【発明の詳細な説明】
【技術分野】
【０００１】
本発明はＩＰ電話機を内線電話機として用いる内線ＩＰ電話システム及び該システムに用いて好適なＩＰ電話機に関する。
【背景技術】
【０００２】
一般に、内線ＩＰ電話システムは、収容しているＩＰ電話機を管理し、各ＩＰ電話機間で発生する内線による通話呼を制御する主装置を備えている。そのため、ＩＰ電話機のＬＣＤディスプレイで表示する情報や電話機能で用いる各種の制御音等は、内線ＩＰ電話システムを管理する主装置に依存して異なる。例えばＬＣＤディスプレイに表示する言語や時間、通話時の呼び出し音やビジー音等は、主装置が設置された国や地域によって異なっている。
【０００３】
なお、内線ＩＰ電話システムの構成例については、特許文献１や特許文献２に記載されている。特許文献１にはＩＰ電話機に電話番号やＩＰアドレス等の設定情報を自動的に登録するための方法が記載され、特許文献２には同じ内線番号を持つ複数の電話機を同時に使用することが可能にした構成が記載されている。
【先行技術文献】
【特許文献】
【０００４】
【特許文献１】特開２００７−２６６７９９号公報
【特許文献２】特開２００８−１１８１８５号公報
【発明の概要】
【発明が解決しようとする課題】
【０００５】
例えば、様々な国や地域に拠点が存在する企業では、各拠点に設けられた内線ＩＰ電話システムどうしを接続し、拠点間の通話を可能にするための電話システムを構築する必要がある。その場合、内線ＩＰ電話システムどうしを接続する構成としては、専用のハードウェアで各拠点間を接続する構成、拠点間を公衆電話網で接続する構成、拠点間をＩＰネットワーク網で接続する構成が考えられる。
【０００６】
しかしながら、専用のハードウェアで各拠点間を接続する構成では、設備費用が増大する問題がある。また、拠点間を公衆電話網で接続する構成では、公衆電話網を利用した外線通話毎に課金が発生するために通信コストが増大する。
【０００７】
一方、各拠点間をＩＰネットワーク網で接続する構成は、設備費用や通信コストを抑制できるが、音声の送受信に用いるＩＰパケットが拠点毎の主装置やＩＰネットワーク網をそれぞれ経由して転送されるため、ＩＰパケットの転送距離が長くなり、通話時の音声の遅延が大きくなる。なお、異なる国や地域の拠点と通話する場合、通話相手の国や地域の言語、時間等を考慮して通話することが好ましいが、ＩＰ電話機にそれらの情報が表示できればＩＰ電話機のユーザーの利便性が向上する。
【０００８】
本発明は上記したような従来の技術が有する問題点を解決するためになされたものであり、拠点間の通信コストを低減できると共に通話時の音声の遅延を低減できる内線ＩＰ電話システム及びＩＰ電話機を提供することを目的とする。
【課題を解決するための手段】
【０００９】
上記目的を達成するため本発明の内線ＩＰ電話システムは、ＩＰネットワーク網を介して音声を含むＩＰパケットを送受信する複数の主装置と、
前記主装置毎のＩＰアドレスを保存する登録先情報管理テーブル、及び前記主装置による制御が有効であるか否かを示す制御モードを、ユーザーの操作により変更が可能に保存する制御モード管理テーブルを備え、前記制御モード管理テーブルに保存された、前記制御モードが有効に設定された主装置の制御による内線電話機として動作するＩＰ電話機と、
を有する。
【００１０】
一方、本発明のＩＰ電話機は、ＩＰネットワーク網を介して複数の主装置と音声を含むＩＰパケットを送受信する、前記主装置の制御による内線電話機として動作可能なＩＰ電話機であって、
前記主装置毎のＩＰアドレスを保存する登録先情報管理テーブル、及び前記主装置による制御が有効であるか否かを示す制御モードを、ユーザーの操作により変更が可能に保存する制御モード管理テーブルを備えたデータ記憶部と、
前記制御モード管理テーブルに保存された、前記制御モードが有効に設定された主装置の制御による内線電話機として呼制御を行う呼制御部と、
を有する。
【発明の効果】
【００１１】
本発明によれば、拠点間の通信コストを低減できると共に通話時の音声の遅延を低減できる。
【図面の簡単な説明】
【００１２】
【図１】本発明の内線ＩＰ電話システムの一構成例を示すブロック図である。
【図２】図１に示した主装置の一構成例を示すブロック図である。
【図３】図１に示したＩＰ電話機の一構成例を示すブロック図である。
【図４】図３に示したＩＰ電話機で用いる登録先情報管理テーブルの一例を示すテーブル図である。
【図５】図３に示したＩＰ電話機で用いる制御モード管理テーブルの一例を示すテーブル図である。
【図６】図３に示したＩＰ電話機で用いるＬＣＤ表示管理テーブルの一例を示すテーブル図である。
【図７】図３に示したＩＰ電話機で用いる通話管理テーブルの一例を示すテーブル図である。
【図８】図１に示したＩＰ電話機による主装置の登録手順の一例を示すシーケンス図である。
【図９】図３に示したＩＰ電話機による表示情報の選択手順の一例を示すフローチャートである。
【図１０】図３に示したＩＰ電話機が備えるＬＣＤディスプレイの表示切り替え手順の一例を示すフローチャートである。
【図１１】図３に示したＩＰ電話機による着信時の処理手順の一例を示すフローチャートである。
【発明を実施するための形態】
【００１３】
次に本発明について図面を用いて説明する。
（第１の実施の形態）
図１は本発明の内線ＩＰ電話システムの一構成例を示すブロック図である。図２は図１に示した主装置の一構成例を示すブロック図であり、図３は図１に示したＩＰ電話機の一構成例を示すブロック図である。図４は図３に示したＩＰ電話機で用いる登録先情報管理テーブルの一例を示すテーブル図であり、図５は図３に示したＩＰ電話機で用いる制御モード管理テーブルの一例を示すテーブル図である。また、図６は図３に示したＩＰ電話機で用いるＬＣＤ表示管理テーブルの一例を示すテーブル図であり、図７は図３に示したＩＰ電話機で用いる通話管理テーブルの一例を示すテーブル図である。
【００１４】
図１に示すように、本発明の内線ＩＰ電話システムは、複数の内線電話機間で発生する呼を制御する周知の構内交換機としての機能、並びに周知のＴＣＰ／ＩＰ（Transmission Control Protocol/Internet Protocol）プロトコルで規定された機能を備える２台の主装置１００及び１０１と、主装置１００及び１０１の制御により内線電話機として動作する、ＴＣＰ／ＩＰプロトコルで規定された機能を備えるＩＰ電話機１０３とを有する構成である。
【００１５】
主装置１００、主装置１０１及びＩＰ電話機１０３は、ＩＰネットワーク網１０２と接続され、ＩＰパケットにより音声信号及び該音声信号の送受信に必要な各種の制御信号を送受信する。
【００１６】
図１は、２台の主装置１００及び１０１と、１台のＩＰ電話機１０３とにより内線ＩＰ電話システムが構成される例を示しているが、主装置は２台以上であれば何台でもよく、ＩＰ電話機１０３は１台以上であれば何台でもよい。
【００１７】
図２に示すように、主装置１００は、ユーザーインタフェース部２００、データ記憶部２０１、呼制御部２０２、電話操作解析部２０３、ＬＣＤ表示制御部２０４、音声デバイス制御部２０５、ＴＣＰ／ＩＰ制御部２０６及び通信インタフェース部２０７を備えている。なお、主装置１０１は、図２に示す主装置１００と同様の構成である。
【００１８】
データ記憶部２０１は、ＩＰ電話機１０３に割り当てた電話番号等の構内交換機としての処理で用いる設定情報、並びにＩＰ電話機１０３に割り当てたＩＰアドレス等のＴＣＰ／ＩＰプロトコルの処理で用いる設定情報を保存する。
【００１９】
ユーザーインタフェース部２００は、主装置１００の管理者による、上記の各種の設定情報をデータ記憶部２０１に保存するために用いられる。
【００２０】
呼制御部２０２は、内線電話機として用いるＩＰ電話機１０３間で発生する呼を制御する。
【００２１】
電話操作解析部２０３は、ＩＰ電話機１０３から受信した、ユーザーによる該ＩＰ電話機１０３の操作内容（発信操作、着信操作等）を示す電話操作情報を検出し、検出した電話操作情報を呼制御部２０２へ通知する。
【００２２】
ＬＣＤ表示制御部２０４は、内線電話機として動作させるＩＰ電話機１０３のＬＣＤディスプレイに表示させる情報（以下、ＬＣＤ情報と称す）を生成する。ＬＣＤ情報には現在の日時を示す時計情報が含まれる。時計情報は、例えば文字列によりＬＣＤディスプレイに表示される。
【００２３】
音声デバイス制御部２０５は、呼制御で用いる各種の音声（呼び出し音やビジー音等）を生成する不図示の音声デバイスを制御する。
【００２４】
ＴＣＰ／ＩＰ制御部２０６は、ＴＣＰ／ＩＰプロトコルにしたがってＩＰパケットを送受信すると共に、受信したＩＰパケットからその送信元のＩＰアドレスを検出する。
【００２５】
通信インタフェース部２０７は、ＩＰネットワーク網１０２に対してＩＰパケットを送受信するためのインタフェースである。
【００２６】
図３に示すように、ＩＰ電話機１０３は、ユーザーインタフェース部３００、データ記憶部３０１、呼制御部３０２、ＬＣＤ表示解析部３０３、電話操作制御部３０４、音声デバイス制御部３０５、ＴＣＰ／ＩＰ制御部３０６及び通信インタフェース部３０７を備えている。なお、図３は、ＩＰ電話機１０３の内部に備える回路による構成例を示し、ＩＰ電話機１０３の外装に取り付けられたＬＣＤディスプレイやボタン等を省略した様子を示している。
【００２７】
データ記憶部３０１は、電話機能やＴＣＰ／ＩＰプロトコルの処理で用いる設定情報を保存すると共に、後述する登録先情報管理テーブル４００、制御モード管理テーブル５００、ＬＣＤ表示管理テーブル６００及び通話管理テーブル７００をそれぞれ保存する。
【００２８】
ユーザーインタフェース部３００は、ユーザーによる、上記の設定情報や各テーブルの情報をデータ記憶部３０１に保存するために用いられる。
【００２９】
呼制御部３０２は、主装置１００及び１０１から送信される制御信号にしたがって呼を制御すると共に、主装置１００及び１０１を識別する、主装置毎に付与された管理ＩＤに基づいてデータ記憶部３０１で保存される上記テーブルを参照し、ユーザーの操作または主装置１００及び１０１から送信される制御信号にしたがって所要の処理を実行する。
【００３０】
ＬＣＤ表示解析部３０３は、主装置１００、１０１から受信したＩＰパケットにＬＣＤ情報が含まれている場合、該ＬＣＤ情報を検出する。
【００３１】
電話操作制御部３０４は、ユーザーによるＩＰ電話機１０３の操作内容を示す電話操作情報を生成する。
【００３２】
音声デバイス制御部３０５は通話時に用いる不図示の音声デバイスを制御する。
【００３３】
ＴＣＰ／ＩＰ制御部３０６は、ＴＣＰ／ＩＰプロトコルにしたがってＩＰパケットを送受信すると共に、受信したＩＰパケットからその送信元のＩＰアドレスを検出する。
【００３４】
通信インタフェース部３０７は、ＩＰネットワーク網１０２に対してＩＰパケットを送受信するためのインタフェースである。
【００３５】
図４に示すように、登録先情報管理テーブル４００は、ＩＰ電話機１０３に登録する各主装置１００、１０１のＩＰアドレス（登録先ＩＰアドレス）を保存するテーブルである。主装置１００，１０１のＩＰアドレスは、例えばユーザーの操作によりユーザーインタフェース部３００を用いてそれぞれの管理ＩＤに関連付けて予め登録される。
【００３６】
図５に示すように、制御モード管理テーブル５００は、ＩＰ電話機１０３に登録された各主装置１００、１０１による該ＩＰ電話機１０３の制御が有効であるか否かを示す制御モードを保存するテーブルである。主装置１００、１０１の制御モード「Enable（有効）」または「Disable（無効）」は、それぞれの管理ＩＤに関連付けて保存される。ＩＰ電話機１０３は、制御モードが「Enable」に設定された主装置の内線電話機として動作し、該主装置が生成したＬＣＤ情報を表示する。制御モード管理テーブル５００の各制御モードは、ユーザーの操作によりユーザーインタフェース部３００を用いて変更可能である。また、制御モードは、ＩＰ電話機１０３に対する着信時に呼制御部３０２により変更可能である。但し、制御モード管理テーブル５００が保持する複数の管理ＩＤのうち、制御モードが「Enable」に設定できるのは１つの管理ＩＤのみとする。
【００３７】
図６に示すように、ＬＣＤ表示管理テーブル６００は、各主装置で生成されたＬＣＤ情報を保存するテーブルである。主装置１００、１０１のＬＣＤ情報はそれぞれの管理ＩＤに関連付けて保存される。ＬＣＤ情報は、ＩＰ電話機１０３からの登録要求時や所定の時間毎に各主装置から送信され、呼制御部３０２の制御によりＬＣＤ表示管理テーブル６００に格納される。
【００３８】
図７に示すように、通話管理テーブル７００は、ＩＰ電話機１０３が通話中であるか待機中であるかを示す状態情報を保存するテーブルである。主装置１００、１０１の状態情報「通話中」または「待機中」は、各主装置の管理ＩＤに関連付けて保存される。通話管理テーブル７００の各状態情報は、例えば呼制御部３０２の制御により更新される。
【００３９】
図２に示す主装置１００のユーザーインタフェース部２００、データ記憶部２０１、呼制御部２０２、電話操作解析部２０３、ＬＣＤ表示制御部２０４、音声デバイス制御部２０５、ＴＣＰ／ＩＰ制御部２０６及び通信インタフェース部２０７、並びに図３に示すＩＰ電話機１０３のユーザーインタフェース部３００、データ記憶部３０１、呼制御部３０２、ＬＣＤ表示解析部３０３、電話操作制御部３０４、音声デバイス制御部３０５、ＴＣＰ／ＩＰ制御部３０６及び通信インタフェース部３０７は、メモリ、Ａ／Ｄ変換器、Ｄ／Ａ変喚器、各種の論理回路等から成るＬＳＩやＤＳＰ、プログラムにしたがって処理を実行するＣＰＵを備えた情報処理装置等によって実現できる。
【００４０】
次に、本実施形態の主装置１００、１０１及びＩＰ電話機１０３の動作について図面を用いて説明する。
【００４１】
なお、ＩＰ電話機１０３には、予めユーザーの操作により、データ記憶部３０１の登録先情報管理テーブル４００に各管理ＩＤに対応する主装置のＩＰアドレスが保存されているものとする。例えば、主装置１００の管理ＩＤを「００１」とし、主装置１０１の管理ＩＤを「００２」とした場合、登録先情報管理テーブル４００には、管理ＩＤ「００１」に関連付けて主装置１００のＩＰアドレス「Ａ」が保存され、管理ＩＤ「００２」に関連付けて主装置１０１のＩＰアドレス「Ｂ」が保存される。このように管理ＩＤと対応する主装置のＩＰアドレスとを関連付けて保存することで、各ＩＰパケットの送受信先を判別できる。
【００４２】
また、ＩＰ電話機１０３には、予めユーザーの操作により、データ記憶部３０１の制御モード管理テーブル５００に各主装置１００、１０１の制御モードがそれぞれ設定されているものとする。例えば、起動時に主装置１００から通知されたＬＣＤ情報をＬＣＤディスプレイに表示させる場合、主装置１００の管理ＩＤ「００１」の制御モードを「Enable」に設定し、他の主装置（ここでは主装置１０１）の制御モードを「Disable」に設定しておく。この場合、ＩＰ電話機１０３は起動時に主装置１００の内線電話機として動作する。
【００４３】
まず、ＩＰ電話機１０３による主装置１００、１０１の登録処理について図８を用いて説明する。
【００４４】
図８は図１に示したＩＰ電話機による主装置の登録手順の一例を示すシーケンス図である。
【００４５】
図８に示すように、ＩＰ電話機１０３は、ＩＰネットワーク網１０２に接続すると、呼制御部２０２により登録先情報管理テーブル４００を参照し、主装置１００、１０１に対する登録要求を生成し、該登録要求を含むＩＰパケットを、ＩＰネットワーク網１０２を介して主装置１００、１０１へ送信する。
【００４６】
登録要求を受信した主装置１００、１０１は、呼制御部２０２により登録要求に応答するための登録完了通知を生成し、ＬＣＤ表示制御部２０４によりＩＰ電話機１０３のＬＣＤディスプレイに表示させるＬＣＤ情報を生成する。
【００４７】
続いて、主装置１００、１０１は、ＴＣＰ／ＩＰ制御部２０６により生成した登録完了通知を含むＩＰパケットを、ＩＰネットワーク網１０２を介してＩＰ電話機１０３へ送信し、ＬＣＤ情報を含むＩＰパケットを、ＩＰネットワーク網１０２を介してＩＰ電話機１０３へ送信する。
【００４８】
ＩＰ電話機１０３は、主装置１００、１０１から受信したＩＰパケットを基にＴＣＰ／ＩＰ制御部３０６によりその送信元のＩＰアドレスを検出し、呼制御部３０２により該ＩＰアドレスに基づいて登録先情報管理テーブル４００を検索し、該ＩＰアドレスに対応する主装置１００、１０１の管理ＩＤを取得する。そして、呼制御部３０２により各主装置１００、１０１から送信されたＬＣＤ情報を、それぞれの管理ＩＤに関連付けてデータ記憶部３０１のＬＣＤ表示管理テーブル６００に保存する。
【００４９】
また、ＩＰ電話機１０３は、呼制御部３０２によりデータ記憶部３０１の制御モード管理テーブル５００を参照して制御モードが「Enable」に設定された管理ＩＤを取得し、ＬＣＤ表示管理テーブル６００に保存された該管理ＩＤのＬＣＤ情報を読み出してＬＣＤディスプレイに表示する。
【００５０】
次に、ＩＰ電話機１０３によるＬＣＤディスプレイに表示するＬＣＤ情報の選択処理について図９を用いて説明する。
【００５１】
図９は図３に示したＩＰ電話機による表示情報の選択手順の一例を示すフローチャートである。
【００５２】
図９に示すように、ＩＰ電話機１０３は、通信インタフェース部３０７によりＩＰパケットを受信すると（ステップＡ１）、ＴＣＰ／ＩＰ制御部３０６により受信したＩＰパケットの送信元のＩＰアドレスを検出する。そして、呼制御３０２によりデータ記憶部３０１の登録先情報管理テーブル４００を検索し、当該送信元のＩＰアドレスに対応する管理ＩＤを取得する（ステップＡ２）。
【００５３】
次に、呼制御３０２は、受信したＩＰパケットに含まれる制御信号による指示内容を判別する（ステップＡ３）。制御指示がＬＣＤ情報である場合、該ＬＣＤ情報をその送信元の管理ＩＤに関連付けてデータ記憶部３０１のＬＣＤ表示管理テーブル６００に保存する（ステップＡ４）。
【００５４】
次に、ＩＰ電話機１０３は、呼制御部３０２によりデータ記憶部３０１の制御モード管理テーブル５００を参照し、管理ＩＤ毎の制御モードを判定する（ステップＡ５）。
【００５５】
例えば、主装置１００からＬＣＤ情報を受信し、制御モード管理テーブル５００の主装置１００の制御モードが「Enable」に設定されている場合、呼制御部３０２は、ＬＣＤディスプレイに主装置１００から受信したＬＣＤ情報を表示させる（ステップＡ６）。
【００５６】
一方、主装置１０１からＬＣＤ情報を受信し、制御モード管理テーブル５００の主装置１０１の制御モードが「Disable」に設定されている場合、呼制御部３０２は、ＬＣＤディスプレイに主装置１００から受信したＬＣＤ情報を表示させ、ＬＣＤディスプレイの表示を更新しない（ステップＡ７）。すなわち、ＩＰ電話機１０３は、複数の主装置１００、１０１からＬＣＤ情報を受信していても、ユーザーの操作により制御モードが「Enable」に設定された主装置のＬＣＤ情報をＬＣＤディスプレイに表示する。
【００５７】
次に、ＩＰ電話機が備えるＬＣＤディスプレイの表示切り替え手順について図１０を用いて説明する。
【００５８】
図１０は図３に示したＩＰ電話機が備えるＬＣＤディスプレイの表示切り替え手順の一例を示すフローチャートである。
【００５９】
図１０に示すように、例えばユーザーの操作により主装置１００のＬＣＤ情報から主装置１０１のＬＣＤ情報へ表示切り替えが指示されると（ステップＢ１）、ユーザーインタフェース部３００は、制御モード管理テーブル５００に保存された管理ＩＤ毎の制御モードを変更する（ステップＢ２）。ここでは、管理ＩＤ「００１」の制御モードを「Enable」から「Disable」に変更し、管理ＩＤ「００２」の制御モードを「Disable」から「Enable」に変更したとする。
【００６０】
呼制御部３０２は、制御モード管理テーブル５００を参照し、管理ＩＤ「００２」の制御モードが「Enable」へ変更されたことを検出すると、データ記憶部３０１のＬＣＤ情報管理テーブル６００から管理ＩＤ「００２」のＬＣＤ情報を取得する（ステップＢ３）。上述したようにＬＣＤ情報管理テーブル６００には主装置毎の最新のＬＣＤ情報が上書き保存されているため、選択した主装置の最新のＬＣＤ情報を取得できる。
【００６１】
呼制御部３０２は、ＬＣＤ情報管理テーブル６００から取得したＬＣＤ情報をＬＣＤディスプレイに表示する（ステップＢ４）。
【００６２】
したがって、本実施形態のＩＰ電話機１０３は、ユーザーの操作により、主装置を選択することが可能であり、選択された主装置の最新のＬＣＤ情報をＬＣＤディスプレイに表示できる。
【００６３】
ＩＰ電話機１０３は、主装置１００から主装置１０１へＬＣＤ情報を切り替えた後、発信操作等を行えば、切り替え後の主装置１０１が管理する内線ネットワークの内線電話機として呼を発信できる。切り換え後の主装置１０１による管理下で呼を発信し、該呼が接続されると、通話相手である内線電話機との通話が可能になる。
【００６４】
次に本実施形態のＩＰ電話機における着信時の処理手順について図１１を用いて説明する。
【００６５】
図１１は図３に示したＩＰ電話機による着信時の処理手順の一例を示すフローチャートである。
【００６６】
図１１に示すように、ＩＰ電話機１０３は、通信インタフェース部３０７によりＩＰネットワーク網１０２からＩＰパケットを受信すると（ステップＣ１）、ＴＣＰ／ＩＰ制御部３０６により受信したＩＰパケットの送信元のＩＰアドレスを検出する。そして、呼制御部３０２によりデータ記憶部３０１の登録先情報管理テーブル４００を参照し、送信元の主装置の管理ＩＤを取得する（ステップＣ２）。
【００６７】
次に、呼制御部３０２は、受信したＩＰパケットに含まれる制御信号による指示内容を判別する（ステップＣ３）。制御指示が着信要求の場合、呼制御部３０２は、データ記憶部３０１の通話管理テーブル７００を参照し（ステップＣ４）、ＩＰ電話機１０３が現在通話中であるか待機中であるかを判定する（ステップＣ５）。
【００６８】
ＩＰ電話機１０３が待機中である場合、呼制御部３０２は通話管理テーブル７００の着信要求を送信した主装置の管理ＩＤに対応する状態情報を「通話中」に変更する（ステップＣ６）。また、呼制御部３０２は制御モード管理テーブル５００の送信元の主装置の管理ＩＤに対応する制御モードを「Enable」へ変更する（ステップＣ７）。
【００６９】
制御モードを「Enable」に変更することで図９に示したＬＣＤ情報の表示処理が開始され、ＩＰ電話機１０３のＬＣＤディスプレイの表示が着信要求の送信元の主装置のＬＣＤ情報に更新され、該ＩＰ電話機１０３は着信要求を送信した主装置が管理する内線ＩＰ電話システムの内線電話機として動作する。
【００７０】
一方、ＩＰ電話機１０３が通話中の場合、ＩＰ電話機１０３は、現在の状態を維持する必要あるため、呼制御部３０２は、通話管理テーブル７００や制御モード管理テーブル５００を変更せず、表示しているＬＣＤ情報及び接続する主装置を変更しない（ステップＣ８）。すなわち、ＩＰ電話機１０３は、待機中に主装置から着信要求を受信すると、ユーザーが手動操作により主装置を切り替えなくても、自動的に着信表示をＬＣＤディスプレイに表示し、着信を要求した主装置が管理する内線電話機として着信呼を制御する。
【００７１】
本実施形態によれば、制御モード管理テーブル５００を用いて各主装置１００、１０１による制御が有効であるか否かを管理すると共に、該制御モード管理テーブル５００をユーザーの操作により変更できるため、ＩＰ電話機１０３を複数の拠点に設けた各内線ＩＰ電話システムの内線電話機として動作させることができる。したがって、公衆電話網を利用することなく拠点間の通話が可能になるため、通信コストを低減できる。また、ＩＰ電話機１０３を各拠点の内線電話機として動作させることで、音声を含むＩＰパケットは１台の主装置を経由するだけで通話相手のＩＰ電話機に到達する。そのため、主装置どうしをＩＰネットワーク網で接続する構成に比べてＩＰパケットの転送距離が短くなるため、通話時の音声の遅延が低減される。
【００７２】
また、各主装置１００、１０１から送信されたＬＣＤ情報を管理ＩＤに関連付けてＬＣＤ表示管理テーブル６００に上書き保存しておき、ユーザーの操作等により制御モード管理テーブル５００が変更されると、「Enable」に設定された主装置のＬＣＤ情報をＩＰ電話機１０３のＬＣＤディスプレイに表示する。したがって、ＩＰ電話機１０３を様々な国や地域に設置された主装置が管理する内線電話機として動作させることが可能であり、ＬＣＤディスプレイに表示される言語や時刻を通話相手と一致するため、ＩＰ電話機を利用するユーザーの利便性が向上する。
【００７３】
さらに、待機中に主装置から着信要求を受信すると、ＩＰ電話機１０３内にて着信要求を送信した主装置による制御に切り替えるため、ユーザーの操作による主装置の切り替えが不要であり、ユーザーの手間を省くことができる。
（第２の実施の形態）
第１の実施の形態の内線ＩＰ電話システムでは、予めユーザー等がＩＰ電話機１０３のデータ記憶部３０１に複数の主装置のＩＰアドレスを登録する必要がある。したがって、主装置やＩＰ電話機１０３の数が多い場合はＩＰ電話機１０３に主装置のＩＰアドレスを登録するための作業量が増大する。
【００７４】
第２の実施の形態の内線ＩＰ電話システムは、主装置のデータ記憶部２０１に第１の実施の形態で示した登録先情報管理テーブルを備え、該登録先情報管理テーブルに、ＩＰ電話機１０３が内線電話機として登録可能な各主装置の管理ＩＤ及びＩＰアドレスを、予め主装置の管理者により保存しておく。
【００７５】
本実施形態の主装置は、ＩＰ電話機１０３から登録要求を受信すると、その登録完了通知と共に、登録先情報管理テーブルに保存された各主装置の管理ＩＤ及びＩＰアドレスを示す登録先情報をＩＰ電話機１０３へ返送する。
【００７６】
本実施形態のＩＰ電話機１０３は、データ記憶部３０１の登録先情報管理テーブル４００に予め１つの主装置のＩＰアドレスのみを登録しておく。
【００７７】
ＩＰ電話機１０３は、予め登録した主装置に登録要求を送信し、該主装置から登録完了通知と共に登録先情報を受信する。そして、受信した登録先情報を登録先情報管理テーブル４００へ保存し、登録情報管理テーブル４００に新たに追加した各主装置へ登録要求を送信する。主装置及びＩＰ電話機１０３のその他の構成及び処理は、第１の実施の形態と同様であるため、その説明は省略する。
【００７８】
第２の実施の形態の内線ＩＰ電話システムによれば、第１の実施の形態と同様の効果に加えて、主装置により登録先情報管理テーブル４００を保存しておき、内線電話機として登録可能な他の主装置の管理ＩＤ及びＩＰアドレスを主装置からＩＰ電話機１０３へ提供することで、ＩＰ電話機１０３に予め登録すべき情報量が低減する。そのため、ＩＰ電話機１０３の設置時や保守時の作業量が低減する。
【符号の説明】
【００７９】
１００、１０１    主装置
１０２    ＩＰネットワーク網
１０３    ＩＰ電話機
２００、３００    ユーザーインタフェース部
２０１、３０１    データ記憶部
２０２、３０２    呼制御部
２０３    電話操作解析部
２０４    ＬＣＤ表示制御部
２０５、３０５    音声デバイス制御部
２０６、３０６    ＴＣＰ／ＩＰ制御部
２０７、３０７    通信インタフェース部
３０３    ＬＣＤ表示解析部
３０４    電話操作制御部
【図１】
2011077610.tif 000003
【図２】
2011077610.tif 000004
【図３】
2011077610.tif 000005
【図４】
2011077610.tif 000006
【図５】
2011077610.tif 000007
【図６】
2011077610.tif 000008
【図７】
2011077610.tif 000009
【図８】
2011077610.tif 000010
【図９】
2011077610.tif 000011
【図１０】
2011077610.tif 000012
【図１１】
2011077610.tif 000013